(57)【特許請求の範囲】
【請求項１】
電池を電源として動作する電子機器であって、
所定動作部を駆動する前記電池の電圧値としての閾値を記憶した記憶手段と、
前記電池の残電圧値を検出する検出手段と、
この電池の残電圧値と前記閾値とを比較する比較手段と、
前記所定動作部が駆動したか否かを判定する判定手段と、
前記比較手段による比較結果と前記判定手段による判定結果に基づいて前記電池の劣化状態を判断する判断手段と、
前記判断手段により判断される電池の劣化状態に応じて前記記憶手段により記憶される前記閾値を可変設定する閾値制御手段と、
を備えることを特徴とする電子機器。
【請求項２】
前記閾値制御手段は、前記判断手段の判断結果に基づき、前記閾値を、前記電池の残電圧値に入れ替えることを特徴とする請求項１に記載の電子機器。
【請求項３】
前記閾値制御手段は、前記判断手段の判断結果に基づき、前記閾値を、前記電池の残電圧値に所定値αを加算した値に入れ替えることを特徴とする請求項１に記載の電子機器。
【請求項４】
前記判断手段の判断結果に基づき、電池の劣化警告或いは充電警告を行うことを特徴とする請求項１から３の何れか記載の電子機器。
【請求項５】
前記判断手段は、前記電池の残電圧値と前記閾値との差の絶対値に基づき、前記電池の劣化状態を判断することを特徴とする請求項１から４の何れか記載の電子機器。
【請求項６】
所定動作部を駆動する電池の電圧値としての閾値を記憶した記憶部とを備える電池を電源として動作する電子機器が有するコンピュータを、
前記電池の残電圧値を検出する検出手段、
この電池の残電圧値と前記閾値とを比較する比較手段、
前記所定動作部が駆動したか否かを判定する判定手段、
前記比較手段による比較結果と前記判定手段による判定結果に基づいて前記電池の劣化状態を判断する判断手段、
前記判断手段により判断される電池の劣化状態に応じて前記記憶部により記憶される前記閾値を可変設定する閾値制御手段
として機能させることを特徴とする電子機器制御プログラム。
【請求項７】
所定動作部を駆動する電池の電圧値としての閾値を記憶した記憶部
を備える電池を電源として動作する電子機器の閾値設定方法であって、
前記電池の残電圧値を検出する検出工程、
この電池の残電圧値と前記閾値とを比較する比較工程、
前記所定動作部が駆動したか否かを判定する判定工程、
前記比較工程による比較結果と前記判定工程による判定結果に基づいて前記電池の劣化状態を判断する判断工程、
前記判断工程により判断される電池の劣化状態に応じて前記記憶部により記憶される前記閾値を可変設定する閾値制御工程
を備えることを特徴とする閾値設定方法。
【請求項８】
前記所定動作部は、光源ランプであることを特徴とする請求項１から７の何れか記載の電子機器、電子機器制御プログラム及び閾値設定方法。
【発明の詳細な説明】
【技術分野】
【０００１】
本発明は、電池を電源として動作する電子機器、該電子機器の制御プログラム及び閾値設定方法に関するものである。
【背景技術】
【０００２】
従来、充電可能な電池を電源として動作する電子機器において、電池残量が所定値以下となった場合に警告を発する機能を備えるものが知られている。この電子機器は、所定の閾値電圧を記憶する一方、電池の出力電圧を検出し、この出力電圧が前記閾値以下となった場合には、ＬＥＤの点灯により警告する。
【０００３】
前記閾値電圧は、当該電子機器を残り所定時間（例えば、残り１０分）継続して使用可能な電池残量に対応する値である。したがって、ユーザはＬＥＤが点灯した時点で、以降は所定時間のみ当該電子機器を継続使用することが可能であることを認識することができ、以降において少ない電池残量を計画的に使用する等が可能となる（例えば、特許文献１参照）。
【特許文献１】特開平１１−１１１３４７号公報
【発明の開示】
【発明が解決しようとする課題】
【０００４】
しかしながら、電池にあっては、その使用期間の経過に伴う経年劣化により充電可能な容量が低下していく。そして、充電可能な容量が低下すると、同一の電圧であっても以降における使用可能な時間は短くなる。したがって、前述のように電池の出力電圧が所定の閾値以下となった時点で警告を行うと、電池の劣化に伴って、警告以降において継続して使用することが可能な時間も短くなる。このため、ユーザが意図している残り使用可能時間と、実際の残り使用可能時間とが不一致となり、ユーザにとって不意の電池切れが生じてしまう場合があった。
【０００５】
本発明は、かかる従来の課題に鑑みてなされたものであり、残り使用可能時間の誤差を抑制しつつ電池の残量警告を行うことのできる電子機器、電子機器制御プログラム及び閾値設定方法を提供することを目的とする。
【課題を解決するための手段】
【０００６】
前記課題を解決するために請求項１に記載の発明に係る電子機器にあっては、電池を電源として動作する電子機器であって、所定動作部を駆動する前記電池の電圧値としての閾値を記憶した記憶手段と、前記電池の残電圧値を検出する検出手段と、この電池の残電圧値と前記閾値とを比較する比較手段と、前記所定動作部が駆動したか否かを判定する判定手段と、前記比較手段による比較結果と前記判定手段による判定結果に基づいて前記電池の劣化状態を判断する判断手段と、前記判断手段により判断される電池の劣化状態に応じて前記記憶手段により記憶される前記閾値を可変設定する閾値制御手段と、を備えることを特徴とする。
【発明の効果】
【００１８】
本発明によれば、残り使用可能時間の誤差を抑制しつつ電池の残量警告を行うことができる。
【発明を実施するための最良の形態】
【００１９】
以下、本発明の一実施の形態を図にしたがって説明する。
（第１の実施形態）
図１は、本発明の各実施の形態に共通するプロジェクタ１の電気的構成を示すブロック図である。このプロジェクタ１は、充電可能なバッテリー２９を電源として動作するものであって、電圧検出回路２８、制御部１１、入出力インターフェイス１２、画像変換部１３、表示エンコーダ１４、表示駆動部１５等を有する。バッテリー２９は各部に電力を供給し、電圧検出回路２８はバッテリー２９の電圧を検出する。
【００２０】
また、入出力コネクタ部１６から入力された各種規格の画像信号（画像データ）は、入出力インターフェイス１２、システムバス１７を介して、画像変換部１３で表示に適した所定フォーマットの画像信号に統一するように変換された後、表示エンコーダ１４に送られる。表示エンコーダ１４は、送られてきた画像信号をビデオＲＡＭ１８に展開記憶させた上で、このビデオＲＡＭ１８の記憶内容からビデオ信号を生成して表示駆動部１５に出力するものである。
【００２１】
表示エンコーダ１４からビデオ信号が入力される表示駆動部１５は、送られてきた画像信号に対応して適宜フレームレートで空間的光変調素子（ＳＯＭ）である表示素子１９を駆動する。そして、ランプを有する光源装置２０から射出された光線束を、光源側光学系を介して表示素子１９に入射することにより、表示素子１９の反射光で光像を形成し、投影側光学系とする可動レンズ群２１を介して図示しないスクリーンに画像を投影表示する。この投影側光学系の可動レンズ群２１は、レンズモータ２２によりズーム調整やフォーカス調整のための駆動が行われる。
【００２２】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出して、一連の動画を構成する個々の画像データを１フレーム単位で伸張して画像変換部１３を介して表示エンコーダ１４に送り、メモリカード２４に記憶された画像データに基づいて動画等の表示を可能にするものである。
【００２３】
制御部１１は、プロジェクタ１内における各回路の動作を制御するものであって、ＣＰＵ及びその周辺回路、ＲＯＭ１１１、ＲＡＭ１１２等で構成されている。ＲＯＭ１１１には、各種セッティング等のプログラム、後述するフローチャートにより示すプログラムやデータ等が予め記憶されており、ＲＡＭ１１２は、ワークメモリ等として使用される。
【００２４】
キー／インジケータ部２５は、本体ケース等に設けられているメインキー及びインジケータ、当該プロジェクタ１の起動時に点灯するランプ等により構成される。これらインジケータ等は制御部１１により表示及び点滅制御され、各種キーの操作信号は制御部１１に送出される。また、リモートコントローラからのキー操作信号は、Ｉｒ受信部２６で受信され、Ｉｒ処理部２７で復調されてコード信号が制御部１１に送られる。
【００２５】
また、制御部１１は、光源制御回路３２を制御することにより、画像信号に応じて赤色光源、緑色光源、青色光源を時分割制御している。さらに、冷却ファン駆動制御回路３３には、光源装置２０等に設けられた複数のセンサによる温度検出を行わせて、冷却ファンの回転速度を制御させ、タイマー等によりプロジェクタ本体の電源オフ後も冷却ファンの回転を持続させ、温度センサによる温度検出の結果によっては、プロジェクタ本体の電源をオフにする制御も行う。
【００２６】
なお、ＲＡＭ１１２には、バッテリー２９の残量であるバッテリー残量Ｎ、閾値Ｎ１及び閾値Ｎ２を格納するためのエリアが予め設けられている。ここで、閾値Ｎ１は、光源装置２０が有するランプが点灯可能なバッテリー２９の下限電圧であり、言わばこのプロジェクタ１が投影動作可能なバッテリー２９の下限電圧である。また、閾値Ｎ２は、前記閾値Ｎ１に基づいて算出され、例えば約１０分後に前記ランプの継続点灯が不可能になるバッテリー２９の残量値、つまりはプロジェクタ１の使用に伴って約１０分後に閾値Ｎ１未満となるバッテリー２９の電圧値である。
【００２７】
以上の構成に係る本実施の形態において、プロジェクタ１の制御部１１は電源ＯＮに伴って、ＲＯＭ１１１に記憶されたプログラムに基づき、図２のフローチャートに示すように処理を実行する。すなわち、この電源ＯＮ時において、電圧検出回路２８により検出したバッテリー２９の電圧をバッテリー残量Ｎとして、ＲＡＭ１１２に記憶する（ステップＳＡ１）。次に、光源装置２０のランプが点灯したか否かを判断する（ステップＳＡ２）。
【００２８】
ランプが点灯した場合には、今回検出したバッテリー残量Ｎとこの時点でＲＡＭ１１２に記憶されている閾値Ｎ１とを比較し、バッテリー残量Ｎが閾値Ｎ１よりも小さいか否かを判断する（ステップＳＡ３）。この判断がＮＯであって、バッテリー残量Ｎが閾値Ｎ１以上である場合は、すなわち、ランプが点灯して、且つバッテリー残量Ｎがランプ点灯の下限電圧である閾値Ｎ１よりも大きい場合であるため、この閾値Ｎ１の値は適切であり、これを修正する必要はない。よって、後述するステップＳＡ５の処理による閾値Ｎ１の修正を行うことなく、ステップＳＡ７に進み画像投影処理を実行する。
【００２９】
すなわち、画像データを画像変換部１３で変換し、表示エンコーダ１４により画像信号をビデオＲＡＭ１８に展開記憶させた上で、このビデオＲＡＭ１８の記憶内容からビデオ信号を生成して表示駆動部１５に出力する。表示駆動部１５が、送られてきた画像信号に対応して表示素子１９を駆動し、光源装置２０から射出された光線束を光源側光学系を介して表示素子１９に入射することにより、表示素子１９の反射光で光像を形成し、レンズ群２１を介して図示しないスクリーンにスライド画像を投影する。
【００３０】
また、このように画像投影によりバッテリー２９の電力は消費されることから、これに伴って減少するバッテリー残量Ｎを再度検出する（ステップＳＡ８）。引き続き、閾値Ｎ１に基づいて、約１０分後に光源装置２０のランプが点灯不可能になるバッテリー２９の残量値である閾値Ｎ２を算出する（ステップＳＡ９）。
【００３１】
すなわち、当該プロジェクタ１において光源装置２０におけるランプの定格は既知であり消費電力は既知であるから、このランプの消費電力と閾値Ｎ１とに基づいて、ランプが約１０分後に継続点灯が不可能になるバッテリー２９の残量値、つまりはプロジェクタ１の使用に伴って約１０分後に閾値Ｎ１となるバッテリー２９の電圧値を算出することができる。そして、この算出した電圧値を閾値Ｎ２としてＲＡＭ１１２に記憶する。
【００３２】
引き続き、前記ステップＳＡ８で投影動作中に検出したバッテリー残量Ｎが閾値Ｎ２未満に低下到達したか否かを判断する（ステップＳＡ１０）。Ｎ＜Ｎ２となっていない場合、つまりバッテリー２９の電圧が閾値Ｎ２以上である場合には、ステップＳＡ１１の処理を行うことなく、ステップＳＡ１２に進む。
【００３３】
そして、このステップＳＡ１２で電源ＯＦＦ操作があったか否か、又はバッテリー２９の残量が「０」となったか否かを判断する。このステップＳＡ１２の判断がＮＯである間は、ステップＳＡ７からの処理を繰り返す。したがって、バッテリー２９の残量Ｎは投影動作に伴って漸次減少していく。そして、バッテリー２９のバッテリー残量Ｎが閾値Ｎ２未満に低下到達すると、ステップＳＡ１０の判断がＹＥＳとなる。したがって、ステップＳＡ１０からステップＳＡ１１に進み、キー／インジケータ部２５のインジケータを動作させてバッテリー残量警告表示を行う（ステップＳＡ１１）。
【００３４】
このとき、前述のように閾値Ｎ２は、当該プロジェクタ１を継続して動作させた場合に、例えば約１０分後に光源装置２０のランプが消灯する（継続点灯不可能となる）バッテリー残量値である。したがって、ユーザはバッテリー残量警告表示を視認することにより、以降は１０分程度のみ当該プロジェクタ１を継続使用して、投影を行うことが可能であること、あるいは１０分程度で投影不可能になることを認識することができ、以降において少ないバッテリー残量を計画的に使用することができる。
【００３５】
一方、前記ステップＳＡ２での判断の結果、前記ランプが点灯しなかった場合には、バッテリー残量Ｎが閾値Ｎ１よりも大きいか否かを判断する（ステップＳＡ４）。この判断がＮＯであって、（バッテリー残量）Ｎ＜Ｎ１（閾値）である場合、つまりランプが点灯しないで、且つバッテリー残量Ｎが閾値Ｎ１未満に低下到達してしまっている場合には、閾値Ｎ１の値は適切であるが、充電が十分になされていなかったと考えられ、ステップＳＡ１５で充電警告を表示したのち、電源をＯＦＦにして、処理を終了する。
【００３６】
また、ステップＳＡ４での判断がＹＥＳであって、Ｎ＞Ｎ１である場合は、起動時にランプは点灯しなかったが、バッテリー残量Ｎは閾値Ｎ１以上である場合である。この場合、設定されている閾値Ｎ１の値は、ステップＳＡ２において事実としてランプを点灯させることができなかったバッテリー残量Ｎの値よりも小さかったことになる。
【００３７】
そして、このように、ランプが点灯する下限電圧であるはずの閾値Ｎ１の値が、事実としてランプを点灯させることができなかったバッテリー残量Ｎの値よりもさらに小さい値である原因は、バッテリー２９が劣化したことによってバッテリー２９の容量そのものが小さくなったからであるとすることができる。すなわち、バッテリー２９の容量縮小前に設定されている閾値Ｎ１は、バッテリー２９の容量縮小に伴いその評価値が小さくなるため、当該閾値Ｎ１はステップＳＡ２において事実としてランプを点灯できる下限電圧値よりも小さくなってしまい、上述のようにバッテリー残量Ｎが閾値Ｎ１よりも大きい値であるにもかかわらずランプを点灯できないという現象が起こる。したがって、バッテリー２９の劣化に伴って評価値が下がってしまった閾値Ｎ１を上昇させる必要が生じ、この場合には、前記ステップＳＡ１で検出したバッテリー残量Ｎの値を閾値Ｎ１に入れ替えて、閾値Ｎ１の値を上昇（増加）させる（ステップＳＡ５）。
【００３８】
したがって、閾値Ｎ１はこのようにバッテリー２９の劣化が進むほど、高い値に可変設定されていく。
【００３９】
他方、ステップＳＡ３の判断がＹＥＳであった場合とは、Ｎ＜Ｎ１であって、起動時にランプは正常に点灯したが、バッテリー残量Ｎが閾値Ｎ１よりも小さい場合である。ここで、バッテリー残量Ｎは、ランプの点灯下限電圧である閾値Ｎ１よりも小さい値であるにもかかわらず、ステップＳＡ２でランプを点灯できたことになるため、閾値Ｎ１の値は不適切であってこれを修正する必要がある。
【００４０】
また、このように検出したバッテリー残量Ｎの値が閾値Ｎ１の値よりも小さいにもかかわらず、ランプを点灯できるという現象が生ずる原因として、これまでにステップＳＡ４を介した前記ステップＳＡ５の処理が数回行われることにより、閾値Ｎ１の値が上昇修正された後に、バッテリー２９の劣化の改善（例えば、バッテリーの交換など）があった場合が想定される。つまり、上述のように、バッテリー２９の劣化に対応してステップＳＡ４を介したステップＳＡ５で閾値Ｎ１の値を上昇させる可変設定を行うことで閾値Ｎ１の評価値を適切に保つことができたが、劣化の改善に伴いバッテリー２９の容量そのものが大きくなることで、バッテリー２９の劣化の改善前の閾値Ｎ１は、バッテリー２９の劣化に伴いその評価値が大きくなるため、当該閾値Ｎ１はステップＳＡ２において事実としてランプを点灯できる下限電圧値よりも大きくなってしまい、上述のようにバッテリー残量Ｎが閾値Ｎ１よりも小さい値であるにもかかわらずランプを点灯できるという現象が起こる。したがって、バッテリー２９の劣化が改善されたことによって評価値が上がってしまった閾値Ｎ１を下降させる必要が生じ、この場合にも、前記ステップＳＡ１で検出したバッテリー残量Ｎの値を閾値Ｎ１に入れ替える（ステップＳＡ５）。
【００４１】
しかし、この場合は前記ステップＳＡ４の判断がＹＥＳとなって、ステップＳＡ５でＮをＮ１に入れ替えることによりＮ１の値を上昇（増加）させた場合とは逆に、ＮをＮ１に入れ替えることによりＮ１の値を下降（減少）させることになる。
【００４２】
したがって、ステップＳＡ５においては、バッテリー２９の劣化状態に応じて、劣化が進んでいる場合には閾値Ｎ１を上昇（増加）させることができ、また、劣化の進み度合い以上に閾値Ｎ１が上昇（増加）している場合、つまり劣化が進んで閾値Ｎ１を上昇させた状態から、劣化の改善があった場合には閾値Ｎ１を下降（減少）させることができる。すなわち、ランプが点灯したか否かという事実に基づいて、予め設定されているランプ点灯下限電圧である閾値Ｎ１の値が適切であるかを判断し、適切でない場合には、当該事実に基づいて閾値Ｎ１を修正するものである。
【００４３】
次に、この入れ替えにより閾値Ｎ１の値が減少したか否かを判断する（ステップＳＡ６）。ここで、閾値Ｎ１の値が減少した場合とは、前記ステップＳＡ２の判断がＹＥＳで、ステップＳＡ３を介してステップＳＡ５で閾値Ｎ１の値を下降させるように可変設定した場合であって、ランプは点灯した場合である。したがって、ステップＳＡ６の判断がＹＥＳであって、入れ替えにより閾値Ｎ１の値が減少した場合には、上述のようにステップＳＡ７以降の処理を実行して画像投影等を行う。
【００４４】
しかし、これとは逆に閾値Ｎ１の値が増加した場合とは、前記ステップＳＡ２の判断がＮＯで、ステップＳＡ４を介してステップＳＡ５で閾値Ｎ１の値を上昇させるように可変設定した場合であって、ランプは点灯しなかった場合である。したがって、ステップＳＡ６の判断がＮＯであって、入れ替えにより閾値Ｎ１の値が増加した場合には、増加したＮ１が所定値未満であるか否かを判断する（ステップＳＡ１３）。
【００４５】
この判断がＮＯであって、閾値Ｎ１の値が所定値よりも大きい場合は、バッテリー２９の劣化がかなり進んでいる状態であるとすることができる。これは、上述のように、閾値Ｎ１の値はステップＳＡ５においてバッテリー２９の劣化に応じて上昇するように可変設定されることから、バッテリー２９の劣化の度合と、閾値Ｎ１の値は比例することとなるためである。したがって、この場合には、キー／インジケータ部２５にてバッテリー劣化警告を行い（ステップＳＡ１４）、電源ＯＦＦして処理を終了する。したがって、ユーザは、バッテリー劣化警告を視認することにより、バッテリー２９の交換を促され、投影途中でバッテリー切れとなって投影不可能となる事態の発生を未然に防止することができる。
【００４６】
他方、ステップＳＡ１３の判断がＹＥＳであって、閾値Ｎ１が所定値未満である場合には、バッテリー２９の劣化は交換を要するほど進んではいないが、充電量が不足しているためにランプを点灯できなかったと見なすことができる。したがって、この場合にはキー／インジケータ部２５にて充電警告を行った後（ステップＳＡ１５）、電源をＯＦＦにする。したがって、ユーザは、充電警告を視認することにより、バッテリー２９は劣化しておらず、充電すれば使用可能であることを認識することができ、無用なバッテリー交換を未然に防止することができる。
【００４７】
また、前述のように閾値Ｎ２は、閾値Ｎ１に基づいて算出する約１０分後に光源装置２０のランプが消灯するバッテリー２９の残量値であるため、バッテリー２９の劣化状態に応じて閾値Ｎ１の値を上昇（増加）させたり、バッテリー２９の劣化の改善に応じて下降（減少）させたりして上述のように閾値Ｎ１の値を適宜修正することによって、。閾値Ｎ２の値も修正され、より適切な値を算出することができる。したがって、本実施形態におけるプロジェクタ１は、バッテリー２９の劣化や、劣化の改善によって生じる残り使用可能時間（約１０分）の誤差を抑制しつつバッテリー２９の残量警告を行うことができる。
【００４８】
換言すれば、バッテリー２９の劣化状態に応じて、適正に残量警告を行うことが可能となるのである。
【００４９】
（第１の実施の形態の変形例）
図３は、第１の実施の形態の変形例を示すフローチャートである。このフローチャートにおいて、ステップＳＡ１〜ＳＡ１５のうち、ステップＳＡ５を除いて図２のフローチャートと同一の処理である。しかし、この変形例においてはステップＳＡ５の処理で、閾値Ｎ１の値にバッテリー残量Ｎの値を入れ替えて可変設定する際に、所定の増加値αを加算する。このとき、「α」は正の値と負の値とが選択的に用いられる。
【００５０】
つまり、前述した第１の実施の形態においては、ステップＳＡ４の判断がＹＥＳであってＮ＞Ｎ１である場合、ステップＳＡ５でバッテリー残量Ｎを閾値Ｎ１とすることにより、閾値Ｎ１の値を上昇（増加）させたが、これは、検出したバッテリー残量Ｎが、予め設定されていた閾値Ｎ１の値よりも大きい値であったにもかかわらず、ステップＳＡ２においてランプが点灯しなかったという事実に基づき、適切な閾値Ｎ１の値は少なくともバッテリー残量Ｎの値以上であると推定されるからである。すなわち、適切な閾値Ｎ１の値は、バッテリー残量Ｎ以上の値であることから、ステップＳＡ５で閾値Ｎ１を「Ｎ＋α」に入れ替えることによって、閾値Ｎ１の値をより適切な値に近づけることができる。この場合、適切な閾値Ｎ１の値は、バッテリー残量Ｎ以上の値であるため、所定値αの値は正の値を選択することとなる。
【００５１】
一方、前述した第１の実施の形態においては、ステップＳＡ３の判断がＹＥＳであってＮ＜Ｎ１である場合、ステップＳＡ５でバッテリー残量Ｎを閾値Ｎ１とすることにより、閾値Ｎ１の値を下降（減少）させたが、これは、バッテリー残量Ｎが、予め設定されていた閾値Ｎ１の値よりも小さい値であったにもかかわらず、ステップＳＡ２においてランプが点灯したという事実に基づき、適切な閾値Ｎ１の値は少なくともバッテリー残量Ｎの値以下であるだろうと推定されるからである。すなわち、適切な閾値Ｎ１の値は、バッテリー残量Ｎ以下の値であることから、ステップＳＡ５で閾値Ｎ１を「Ｎ＋α」に入れ替えることによって、閾値Ｎ１の値をより適切な値に近づけることができる。この場合、バッテリー所定値αの値は負の値を選択することとなる。
【００５２】
したがって、この変形例によれば、閾値Ｎ１を光源装置２０が有するランプが点灯可能なバッテリー２９の下限電圧である本来の値に、より近づけることができる。
【００５３】
（第２の実施の形態）
図４は、本発明の第２の実施の形態における処理手順を示すフローチャートである。プロジェクタ１の制御部１１は電源ＯＮに伴って、ＲＯＭ１１１に記憶されたプログラムに基づき、図４のフローチャートに示すように処理を実行する。このフローチャートにおいて、ステップＳＢ１〜ＳＢ１５は、第１の実施の形態における図２のフローチャートのステップＳＡ１〜ＳＡ１５と同一の処理である。ただし、ステップＳＢ１６が加えられている点において第１の実施の形態とは異なっている。
【００５４】
すなわち、ステップＳＢ２での判断の結果、前記ランプが点灯しなかった場合には、バッテリー残量Ｎが閾値Ｎ１よりも大きいか否かを判断する（ステップＳＢ４）。そして、この判断がＮＯであって、（バッテリー残量）Ｎ＜Ｎ１（閾値）である場合、つまり起動時において既にバッテリー残量Ｎが閾値Ｎ１未満に低下到達してしまっている場合には、前記ステップＳＢ１で検出したバッテリー残量Ｎと予め設定されている閾値Ｎ１との差の絶対値｜Ｎ−Ｎ１｜が所定値よりも大きいか否かを判断する（ステップＳＢ１６）。
【００５５】
このステップＳＢ１６での判断がＮＯであって、差の絶対値｜Ｎ−Ｎ１｜が所定値未満である場合には、前述のようにバッテリーの劣化に伴ってその値が上昇（増加）する閾値Ｎ１の値は、あまり大きくなってはいないのでバッテリー２９は劣化は交換を要するほど進んではいない。しかし、ランプは点灯しなかったのであるから、バッテリー２９の劣化は交換を要するほど進んではいないが、充電量が不足していると見なすことができる。そこで、この場合にはキー／インジケータ部２５にて充電警告を行った後（ステップＳＢ１５）、電源をＯＦＦにする。したがって、ユーザは、充電警告を視認することにより、バッテリー２９は劣化しておらず、充電すれば使用可能であることを認識することができ、無用なバッテリー交換を未然に防止することができる。
【００５６】
しかし、ステップＳＢ１６での判断がＹＥＳであって、｜Ｎ−Ｎ１｜が所定値以上である場合には、前述のようにバッテリーの劣化に伴ってその値が上昇（増加）する閾値Ｎ１の値は、かなり大きくなっており、バッテリー２９の劣化は交換を要するほど進んでいるとすることができる。そこで、この場合には、キー／インジケータ部２５にてバッテリー劣化警告を行った後（ステップＳＢ１４）、電源をＯＦＦにする。したがって、ユーザは、バッテリー劣化警告を視認することにより、バッテリー２９の交換を促され、投影途中でバッテリー切れとなって投影不可能となる事態の発生を未然に防止することができる。
【００５７】
なお、本実施の形態においては、表示によりバッテリー残量警告を行うようにしたが、表示に限らず、音声、警告音等その他の手段よりバッテリー残量警告を行うようにしてもよい。
【００５８】
また、本実施の形態においては、ステップＳＢ４、ステップＳＢ４での判断がＮＯであって、（バッテリー残量）Ｎ＜Ｎ１（閾値）である場合、つまり起動時において既にバッテリー残量Ｎが閾値Ｎ１未満に低下到達してしまっている場合には、単に電源をＯＦＦにして、処理を終了するようした。しかし、電源をＯＦＦにする直前に、電源をＯＦＦにする理由、つまり「起動時において既にバッテリー残量Ｎが閾値Ｎ１未満に低下到達してしまっている」旨の報知を行うようにしてもよい。これにより、ユーザは電源ＯＮにしたにも拘わらず、電源がＯＦＦにされた理由を理解することができ、投影開始に先立ってユーザに、充電や電池交換を行うべきことを促すことができる。
【００５９】
さらに、本実施の形態においては、本発明をプロジェクタに適用した場合を示したが、プロジェクタに限ることなく、電池を電源として動作する各種電子機器に適用できることは勿論である。
【図面の簡単な説明】
【００６０】
【図１】本発明の一実施の形態に係るプロジェクタの回路構成を示すブロック図である。
【図２】本発明の第１の実施の形態における処理手順を示すフローチャートである。
【図３】本発明の第１の実施の形態の変形例における処理手順を示すフローチャートである。
【図４】本発明の第２の実施の形態における処理手順を示すフローチャートである。
【符号の説明】
【００６１】
１    プロジェクタ
１１    制御部
１２    入出力インターフェイス
１３    画像変換部
１４    表示エンコーダ
１５    表示駆動部
１６    入出力コネクタ部
１７    システムバス
１８    ビデオＲＡＭ
１９    表示素子
２０    光源装置
２１    可動レンズ群
２３    画像圧縮／伸張部
２４    メモリカード
２５    キー／インジケータ部
２８    電圧検出回路
２９    バッテリー
１１１    ＲＯＭ
１１２    ＲＡＭ
【図１】
0005560534.tif 000002
【図２】
0005560534.tif 000003
【図３】
0005560534.tif 000004
【図４】
0005560534.tif 000005